(57)【特許請求の範囲】
【請求項１】
円板上に多数の定着穴が等間隔で形成され、その下部に設置されたモーターによって一定間隔で一定角度ずつ回転するように形成されたテーブル；
前記テーブルの一地点に設置され、前記定着穴に合成樹脂容器を定着させるために、前記定着穴の上側に、多数の合成樹脂容器を収納したコンテナが位置し、前記コンテナの下側には露出したそれぞれの合成樹脂容器の下端を引き下げて定着穴に落とすためのアームが形成された容器供給部；
前記容器供給部の一側に設置され、前記定着穴に定着された合成樹脂容器の内部に微細粉末状の遺骨を供給するように、前記定着穴の上側に微細粉末状の遺骨を収容するホッパーが位置し、前記ホッパーの下側にはシリンダーによって前後に作動してホッパーの下端を開閉するための開閉板が形成された遺骨供給部；
前記遺骨供給部の一側に設置され、前記微細粉末状の遺骨を収容するとき、合成樹脂容器の縁部に付いた微細粉末状の遺骨を除去するように、定着穴の上側にモーターの作動によって回転するブラッシュが位置し、その外側には前記ブラッシュを昇降させるためのシリンダーブロックが形成されたブラッシュ作動部；
前記ブラッシュ作動部の一側に設置され、前記合成樹脂容器の上端に合成樹脂蓋を定着させるために、前記定着穴の上側に多数の合成樹脂蓋を収納したコンテナが位置し、前記コンテナの下側には露出したそれぞれの合成樹脂蓋の下端を引き下げて定着穴に落とすためのアームが形成された蓋供給部；
前記蓋供給部の一側に設置され、前記合成樹脂容器の上端に定着された合成樹脂蓋を緊密に密着させて固定するように、前記定着穴の上側にシリンダーによって昇降するプッシャーが形成された蓋結合部；
前記蓋結合部の一側に設置され、前記合成樹脂蓋を熱融着して合成樹脂容器と一体に密封するように、前記定着穴の上側にシリンダーによって昇降する伝熱ブロックが形成された熱融着部；及び
前記熱融着部の一側に設置され、前記合成樹脂容器と一体に密封された前記合成樹脂蓋を真空で吸着して前記合成樹脂容器および前記合成樹脂蓋を上げた後、前記合成樹脂容器および前記合成樹脂蓋を外部に排出するように、前記定着穴の上側にシリンダーによって昇降する吸着板が位置し、その外側には前記吸着板を回転させるための正逆シリンダーが形成された容器排出部；を含んでなることを特徴とする、遺骨密封包装装置。
【請求項２】
前記熱融着部の伝熱ブロックの上側には、無理な圧搾を防止するための緩衝スプリングが設けられることを特徴とする、請求項１に記載の遺骨密封包装装置。
【発明の詳細な説明】
【技術分野】
【０００１】
本発明は粉砕された遺骨を腐敗しないように密封して包装するための装置に係り、より詳しくは火葬場で粉砕された遺骨が腐敗しないように全自動工程で緊密に密封することで遺骨を長期間にわたって安全に保存するようにした遺骨密封包装装置に関するものである。
【背景技術】
【０００２】
一般に、死体を火葬した後には、その遺骨を粉碎した後、納骨容器に入れて納骨堂または納骨墓に保管することになる。
【０００３】
この際、前記遺骨を入れた納骨容器は通常密封状態で提供されるが、事実上納骨容器の内部の遺骨が易しく腐敗することが見られる。すなわち、遺骨を納骨容器に密封する過程で湿気と細菌に露出するため、これによって腐敗が起こるものである。
【０００４】
これは、遺骨を密封する既存の方法によっては、多数箇所微細な隙間が発生して完全な密封が難しく、密封をしても、数年後に損なわれる現象が発生するため、これを通して流入した空気が遺骨と接触して酸化する過程で細菌やうじが発生して、腐敗が一層促進されるものである。
【０００５】
結局、このような原因で、どのくらい時間が経った納骨堂または納骨墓では、腐敗による悪臭が発生して嫌悪施設と認識されていることが現実である。
【発明の開示】
【発明が解決しようとする課題】
【０００６】
したがって、本発明は、密封された部分の漏洩によって空気が流入して遺骨に酸化現象が発生して害虫が発生することを防止する遺骨密封包装装置を提供することにその目的がある。
【０００７】
また、本発明は、粉砕された遺骨を作業者が手ずから密封することで、作業が不便で不安全な問題点を解決する遺骨密封包装装置を提供することに他の目的がある。
【課題を解決するための手段】
【０００８】
本発明の遺骨密封包装装置は、円板上に多数の定着穴が等間隔で形成され、その下部に設置されたモーターによって一定間隔で一定角度ずつ回転するように形成されたテーブル；前記テーブルの一地点に設置され、前記定着穴に合成樹脂容器を定着させるために、前記定着穴の上側に、多数の合成樹脂容器を収納したコンテナが位置し、前記コンテナの下側には露出したそれぞれの合成樹脂容器の下端を引き下げて定着穴に落とすためのアームが形成された容器供給部；前記容器供給部の一側に設置され、前記定着穴に定着された合成樹脂容器の内部に微細粉末状の遺骨を供給するように、前記定着穴の上側に微細粉末状の遺骨を収容するホッパーが位置し、前記ホッパーの下側にはシリンダーによって前後に作動してホッパーの下端を開閉するための開閉板が形成された遺骨供給部；前記遺骨供給部の一側に設置され、前記微細粉末状の遺骨を収容するとき、合成樹脂容器の縁部に付いた微細粉末状の遺骨を除去するように、定着穴の上側にモーターの作動によって回転するブラッシュが位置し、その外側には前記ブラッシュを昇降させるためのシリンダーブロックが形成されたブラッシュ作動部；前記ブラッシュ作動部の一側に設置され、前記合成樹脂容器の上端に合成樹脂蓋を定着させるために、前記定着穴の上側に多数の合成樹脂蓋を収納したコンテナが位置し、前記コンテナの下側には露出したそれぞれの合成樹脂蓋の下端を引き下げて定着穴に落とすためのアームが形成された蓋供給部；前記蓋供給部の一側に設置され、前記合成樹脂容器の上端に定着された合成樹脂蓋を緊密に密着させて固定するように、前記定着穴の上側にシリンダーによって昇降するプッシャーが形成された蓋結合部；前記蓋結合部の一側に設置され、前記合成樹脂蓋を熱融着して合成樹脂容器と一体に密封するように、前記定着穴の上側にシリンダーによって昇降する伝熱ブロックが形成された熱融着部；及び前記熱融着部の一側に設置され、前記密封された合成樹脂蓋を真空で吸着して上げた後、外部に排出するように、前記定着穴の上側にシリンダーによって昇降する吸着板が位置し、その外側には前記吸着板を回転させるための正逆シリンダーが形成された容器排出部；を含んでなる。
【０００９】
前記熱融着部の伝熱ブロックの上側には、無理な圧搾を防止するための緩衝スプリングを含むことができる。
【発明の効果】
【００１０】
本発明の遺骨密封包装装置は、火葬場で粉砕された遺骨が腐敗しないように密封することで遺骨を長期間にわたって安全に保存することができる非常に有用な効果が発揮される。
【００１１】
また、本発明の遺骨密封包装装置は、粉砕された遺骨を包装する過程を全自動化することで、作業が便利で安全に行える非常に有用な効果が発揮される。
【発明を実施するための最良の形態】
【００１２】
以下、本発明の好適な実施例を添付図面に基づいて詳細に説明する。
【００１３】
図１は本発明が適用された遺骨密封包装装置を示す斜視図、図２は本発明が適用された遺骨密封包装装置を示す正面図、図３は本発明が適用された遺骨密封包装装置を示す平面図、図４は本発明が適用された遺骨密封包装装置のテーブルの作用を示す斜視図、図５は本発明が適用された遺骨密封包装装置の容器供給部の作用を示す斜視図、図６は本発明が適用された遺骨密封包装装置の遺骨供給部の作用を示す斜視図、図７は本発明が適用された遺骨密封包装装置のブラッシュ作動部の作用を示す斜視図、図８は本発明が適用された遺骨密封包装装置の蓋供給部の作用を示す斜視図、図９は本発明が適用された遺骨密封包装装置の蓋結合部の作用を示す斜視図、図１０は本発明が適用された遺骨密封包装装置の熱融着部の作用を示す斜視図、図１１は本発明が適用された遺骨密封包装装置の容器排出部の作用を示す斜視図、及び図１２は本発明が適用された合成樹脂容器及び蓋を示す斜視図である。
【００１４】
本発明の遺骨密封包装装置は、図１〜図１２に示すように、大別して、多数の定着穴が等間隔で形成された回転式テーブル１００、前記テーブルのそれぞれの定着穴に沿って前記定着穴が停止する地点にそれぞれ前記合成樹脂容器を定着穴に定着させるための容器供給部２００、前記合成樹脂容器の内部に微細粉末状の遺骨を供給するための遺骨供給部３００、前記合成樹脂容器の縁部に付いた微細粉末状の遺骨を除去するためのブラッシュ作動部４００、前記合成樹脂容器の上端に合成樹脂蓋を定着させるための蓋供給部５００、前記合成樹脂容器の上端に定着された合成樹脂蓋を緊密に密着させて固定するための蓋結合部６００、前記合成樹脂蓋を熱融着して合成樹脂容器と一体に融着して密封するための熱融着部７００、及び前記密封された合成樹脂蓋を真空で吸着して上げた後、外部に排出するための容器排出部８００を含んでなる。
【００１５】
まず、本発明が適用される合成樹脂容器１０は、図１２に示すように、上端に外側方向に延びる縁部が形成されたものであり、前記縁部は、定着穴１２０にかかるようにする作用とともに合成樹脂蓋２０が一体的に融着される部分である。したがって、前記合成樹脂蓋２０には、図１２に示すように、前記合成樹脂容器１０の縁部と対応して緊密に密着される縁部が形成される。
【００１６】
これに、前記テーブル１００は、円板上に多数の定着穴１２０が等間隔で形成され、その下部に設置されたモーター（図示せず）によって一定間隔で一定角度ずつ回転するように形成される。すなわち、図４に示すように、テーブル１００の中心から放射状に等間隔で八つの定着穴１２０が形成される。前記定着穴１２０は、合成樹脂容器１０の縁部が定着するように形成され、貫設されていてもかまわない。
【００１７】
一方、前記テーブル１００の周りには、それぞれの定着穴１２０と対応する位置に粉末状の遺骨を合成樹脂容器１０と合成樹脂蓋２０で密封包装するための周辺部が設置される。
【００１８】
前記容器供給部２００は、図１〜図３及び図５に示すように、前記テーブル１００の一地点に設置され、前記定着穴１２０に合成樹脂容器１０を定着させるために、前記定着穴１２０の上側に多数の合成樹脂容器１０を収納したコンテナ２２０が位置し、前記コンテナ２２０の下側には、露出したそれぞれの合成樹脂容器１０の下端を引き下げて定着穴１２０に落とすためのアーム２４０が形成される。この際、前記アーム２４０はシリンダー（図示せず）によって昇降しながら合成樹脂容器１０を引き下げる。
【００１９】
前記遺骨供給部３００は、図１〜図３及び図６に示すように、前記容器供給部２００の一側に設置され、前記定着穴１２０に定着された合成樹脂容器１０の内部に微細粉末状の遺骨を供給するように、前記定着穴１２０の上側に、微細粉末状の遺骨を収容するホッパー３２０が位置し、前記ホッパー３２０の下側には、シリンダーによって前後に作動してホッパーの下端を開閉するための開閉板３４０が形成される。この際、前記ホッパー３２０に収容される粉末状の遺骨は１人の遺骨で、他人の遺骨が交じらないようにした状態で、所定量ずつ８回にかけて一様に排出されるようにすることが好ましい。
【００２０】
前記ブラッシュ作動部４００は、図１〜図３及び図７に示すように、前記遺骨供給部３００の一側に設置され、前記微細粉末状の遺骨を収容するとき、合成樹脂容器１０の縁部に付いた微細粉末状の遺骨を除去するように、定着穴１２０の上側のモーターの作動によって回転するブラッシュ４２０が位置し、その外側には、前記ブラッシュ４２０を昇降させるためのシリンダーブロック４４０が形成される。すなわち、前記ブラッシュ作動部４００は合成樹脂容器１０の縁部に付いた遺骨粉末や異物を除去するもので、合成樹脂蓋２０と安全で正確に融着するようにする。
【００２１】
前記蓋供給部５００は、図１〜図３及び図８に示すように、前記ブラッシュ作動部４００の一側に設置され、前記合成樹脂容器１０の上端に合成樹脂蓋２０を定着させるために、前記定着穴１２０の上側に多数の合成樹脂蓋２０を収納したコンテナ５２０が位置し、前記コンテナ５２０の下側には、露出したそれぞれの合成樹脂蓋２０の下端を引き下げて定着穴１２０に落とすためのアーム５４０が形成される。この際、前記アーム５４０はシリンダー（図示せず）によって昇降しながら合成樹脂蓋２０を引き下げる。
【００２２】
前記蓋結合部６００は、図１〜図３及び図９に示すように、前記蓋供給部５００の一側に設置され、前記合成樹脂容器１０の上端に定着された合成樹脂蓋２０を緊密に密着させて固定するように、前記定着穴１２０の上側にシリンダーによって昇降するプッシャー６２０が形成される。すなわち、前記蓋結合部６００は、蓋供給部５００で合成樹脂蓋２０を合成樹脂容器１０上に載せれば、これを押し付けて縁部同士緊密に結合するようにするものである。
【００２３】
前記熱融着部７００は、図１〜図３及び図１０に示すように、前記蓋結合部６００の一側に設置され、前記合成樹脂蓋２０を熱融着して合成樹脂容器１０と一体に密封するように、前記定着穴１２０の上側シリンダーによって昇降する伝熱ブロック７２０が形成される。すなわち、前記熱融着部７００は、合成樹脂容器１０と合成樹脂蓋２０の縁部を相互に融着させる役目をする。一方、前記熱融着部７００の伝熱ブロック７２０の上側には、無理な圧搾を防止するための緩衝スプリング７４０が形成される。すなわち、前記熱融着部７００が合成樹脂蓋２０の上側から密着する過程で密着力が弱ければ、完全な融着ができなく、密着力が強ければ、縁部を変形させることができるので、これを緩衝スプリング７４０で調節することで、適当な圧力で押し付けて融着させるものである。
【００２４】
前記容器排出口８００は、図１〜図３及び図１１に示すように、前記熱融着部７００の一側に設置され、前記熱融着によって密封された合成樹脂蓋２０を真空で吸着して上げた後、外部に排出するように、前記定着穴１２０の上側にシリンダーによって昇降する吸着板８２０が位置し、その外側には前記吸着板８２０を回転させるための正逆シリンダー８４０が形成される。この際、前記吸着板８２０は、真空吸入によって合成樹脂蓋２０を吸着して持ち上げるように形成されるものである。
【００２５】
したがって、このような構成の遺骨密封包装装置によれば、火葬場で粉砕された遺骨が腐敗しないように密封することで、遺骨を長期間にわたって安全に保存することだけではなく、粉砕された遺骨を包装する過程を全自動化することで作業が便利で安全に行われるものである。
【００２６】
以上説明したように、本発明は図面に示した実施例に基づいて説明したが、これは例示のためのものに過ぎなく、当該技術分野で通常の知識を持った者であれば、これから多様な変形及び均等の実施例が可能であることが理解可能であろう。したがって、本発明の真正な技術的保護範囲は請求範囲の技術的思想によって決められなければならない。
【産業上の利用可能性】
【００２７】
本発明は、粉砕された遺骨を腐敗しないように密封して包装するための装置に適用可能である。
【図面の簡単な説明】
【００２８】
【図１】本発明が適用された遺骨密封包装装置を示す斜視図である。
【図２】本発明が適用された遺骨密封包装装置を示す正面図である。
【図３】本発明が適用された遺骨密封包装装置を示す平面図である。
【図４】本発明が適用された遺骨密封包装装置のテーブルの作用を示す斜視図である。
【図５】本発明が適用された遺骨密封包装装置の容器供給部の作用を示す斜視図である。
【図６】本発明が適用された遺骨密封包装装置の遺骨供給部の作用を示す斜視図である。
【図７】本発明が適用された遺骨密封包装装置のブラッシュ作動部の作用を示す斜視図である。
【図８】本発明が適用された遺骨密封包装装置の蓋供給部の作用を示す斜視図である。
【図９】本発明が適用された遺骨密封包装装置の蓋結合部の作用を示す斜視図である。
【図１０】本発明が適用された遺骨密封包装装置の熱融着部の作用を示す斜視図である。
【図１１】本発明が適用された遺骨密封包装装置の容器排出部の作用を示す斜視図である。
【図１２】本発明が適用された合成樹脂容器及び蓋を示す斜視図である。
【符号の説明】
【００２９】
１０      合成樹脂容器
２０      合成樹脂蓋
１００    テーブル
１２０    定着穴
２００    容器供給部
２２０    コンテナ
２４０    アーム
３００    遺骨供給部
３２０    ホッパー
３４０    開閉板
４００    ブラッシュ作動部
４２０    ブラッシュ
４４０    シリンダーブロック
５００    蓋供給部
５２０    コンテナ
５４０    アーム
６００    蓋結合部
６２０    プッシャー
７００    熱融着部
７２０    伝熱ブロック
７４０    緩衝スプリング
８００    容器排出部
８２０    吸着板
８４０    正逆シリンダー
【図１】
0004923194.tif 000002
【図２】
0004923194.tif 000003
【図３】
0004923194.tif 000004
【図４】
0004923194.tif 000005
【図５】
0004923194.tif 000006
【図６】
0004923194.tif 000007
【図７】
0004923194.tif 000008
【図８】
0004923194.tif 000009
【図９】
0004923194.tif 000010
【図１０】
0004923194.tif 000011
【図１１】
0004923194.tif 000012
【図１２】
0004923194.tif 000013